(57)【要約】【課題】  全体の大きさが子供の手の大きさに適したサイズでありながら、装着時においては、手を挿入するための手挿入口の大きさのみを大きく開けることができるようにすることにより、子供が容易に装着できるようにした子供用の防寒手袋を提供する。【解決手段】  本発明に係る子供用の防寒手袋は、手を挿入するための手挿入口２を広げる三角マチ３を手袋生地４の一部に介在させた子供用の防寒手袋１であって、  前記三角マチ３は、頂部５から伸びる二つの側縁６，７と、頂部５と対面する１つの底縁８とを有する三角形状に形成され、  前記頂部５は装着者の手の指の付け根近傍において前記手袋生地４に縫着され、前記二つの側縁６，７は前記手袋生地４に縫着され、前記底縁８は前記手挿入口２まで達して手挿入口２の一部を形成し、  手挿入口２の全周には手挿入口２の広さを伸縮させる伸縮部９が設けられていることを特徴とするものである。【選択図】    図１
2006104619.tif 000002
【特許請求の範囲】
【請求項１】
手を挿入するための手挿入口を広げる三角マチを手袋生地の一部に介在させた子供用の防寒手袋であって、
前記三角マチは、頂部から伸びる二つの側縁と、頂部と対面する１つの底縁とを有する三角形状に形成され、
前記頂部は装着者の親指と人差指との間の付け根、中指の付け根、薬指の付け根、小指の付け根の内の少なくとも何れか１つの付け根近傍において前記手袋生地に縫着され、前記二つの側縁は前記手袋生地に縫着され、前記底縁は前記手挿入口まで達して手挿入口の一部を形成し、
手挿入口の全周には手挿入口の広さを伸縮させる伸縮部が設けられていることを特徴とする子供用の防寒手袋。
【請求項２】
前記伸縮部は前記手挿入口を縮小させるように付勢する弾性材で構成されたことを特徴とする請求項１に記載の子供用の防寒手袋。
【請求項３】
前記弾性材はゴム紐で構成されたことを特徴とする請求項２に記載の子供用の防寒手袋。
【請求項４】
前記手挿入口を装着者の手首に締め付けるためのベルトを備えたことを特徴とする請求項１乃至請求項３の何れか1項に記載の子供用の防寒手袋。
【発明の詳細な説明】
【技術分野】
【０００１】
本発明は、子供用の防寒手袋に関するものである。
【背景技術】
【０００２】
図８は従来技術の子供用の防寒手袋１００の外観を示す。子供用の防寒手袋１００は、子供の手の大きさに適するように、防寒手袋１００全体が小さなサイズに形成され、その結果、該手袋１００内へ手を挿入するための手挿入口１０１の大きさについても、小さなサイズであった。
【発明の開示】
【発明が解決しようとする課題】
【０００３】
ところで、スキー場等においては、寒さのために、手袋１００の生地が硬直して生地自体が変形し難く、しかも、手がかじかんだ状態にあるため、手に防寒手袋１００を円滑に装着することは困難である。
【０００４】
しかも、子供は手を器用に動かすことが出来ないという実情に鑑みた場合、寒さの中で、子供が防寒手袋１００に手を円滑に挿入することは困難であった。更に、子供用の防寒手袋１００が全体として小さなサイズに形成されている結果、手挿入口１０１も小さなサイズに開口しているため、スキー場等の環境下において、子供が円滑に、手を手挿入口１０１から防寒手袋１００内に挿入することは一層困難なものであった。
【０００５】
このため、図９に示すように、ファスナー１０２を備えた子供用の防寒手袋１０３が知られている。この防寒手袋１０３においては、子供の手のサイズに適するように、全体としては小さなサイズでありながら、防寒手袋１０３を手に装着する際には、手挿入口１０１の大きさを大きく広げることができるように、手挿入口１０１にファスナー１０２を設けて手挿入口１０１を広げることができるようにしたものである。
【０００６】
しかし、このように、子供用の防寒手袋１０３にファスナーを設けることは、製造工程において、ファスナー１０２を縫着するための作業工程が別途必要になって、製造工程が煩雑化するという問題があった。
【０００７】
又、ファスナー１０２に雪が付着した場合には、ファスナー１０２を開閉する作業を円滑に行うことが困難であるだけでなく、ファスナー１０２に付着した雪が凍った場合には、ファスナー１０２を開閉することができない場合が起こり易いという問題があった。
【０００８】
更に、ファスナー１０２の目の隙間から手袋１０３内に雪が侵入しないように、ファスナー１０２の内側に雪の侵入を阻止するための保護片１０４を別途、設けなけらばならず、製造工程が一層複雑なものになっていた。又、ファスナー１０２の開閉時に、ファスナー１０２が保護片１０４を噛む等して円滑に開閉できない等の問題もあった。
【０００９】
しかも、ファスナー１０２が設けられていることによって、手挿入口１０１の全周に亘ってゴム等の弾性材を設けることができず、その結果、手挿入口１０１を縮める等して、手挿入口１０１を装着者の手首にフィットさせることができず、手首挿入口１０１と装着者の手首との間に隙間が発生し易く、この隙間から防寒手袋内へ雪等が侵入し易いという問題もあった。
【００１０】
本発明は、前記従来技術の問題点に鑑みてなされたもので、その目的は、全体の大きさが子供の手の大きさに適したサイズでありながら、子供が容易に装着できるようにした子供用の防寒手袋を提供することにある。
【課題を解決するための手段】
【００１１】
請求項１に記載の発明は、手を挿入するための手挿入口を広げる三角マチを手袋生地の一部に介在させた子供用の防寒手袋であって、
前記三角マチは、頂部から伸びる二つの側縁と、頂部と対面する１つの底縁とを有する三角形状に形成され、前記頂部は装着者の手の親指と人差指との間の付け根、中指の付け根、薬指の付け根、小指の付け根の内の少なくとも何れか１つの付け根近傍において前記手袋生地に縫着され、前記二つの側縁は前記手袋生地に縫着され、前記底縁は前記手挿入口まで達して手挿入口の一部を形成し、手挿入口の全周には手挿入口の広さを伸縮させる伸縮部が設けられていることを特徴とするものである。
【００１２】
請求項２に記載の発明は、請求項１に記載の子供用の防寒手袋において、前記伸縮部は前記手挿入口を縮小させるように付勢する弾性材で構成されたことを特徴とするものである。
【００１３】
請求項３に記載の発明は、請求項２に記載の子供用の防寒手袋において、前記弾性材はゴム紐で構成されたことを特徴とするものである。
【００１４】
請求項４に記載の発明は、請求項１乃至請求項３の何れか1項に記載の子供用の防寒手袋において、前記手挿入口を装着者の手首に締め付けるためのベルトを備えたことを特徴とするものである。
【発明の効果】
【００１５】
請求項１に記載の発明によれば、三角マチを広げることによって、装着者の手の親指と人差指との間の付け根、中指の付け根、薬指の付け根、小指の付け根の内の少なくとも何れか１つの付け根近傍から手挿入口までの間の生地が大きく開がることができるため、装着者は防寒手袋を手に容易に装着することができる。
【００１６】
請求項２に記載の発明によれば、装着者が防寒手袋を手に装着した後においては、手挿入口が伸縮部によって閉じることになるため、防寒手袋は装着者の手から脱落しない。
【００１７】
請求項３に記載の発明によれば、装着者が防寒手袋を手に装着した後においては、手挿入口がゴム紐によって閉じることになるため、装着者の手首と手挿入口との間から雪の侵入が防止される。
【００１８】
請求項４に記載の発明によれば、装着者が防寒手袋を手に装着した後においては、ベルトが手挿入口を装着者の手首に締め付けることになるため、防寒手袋は装着者の手から脱落しない。
【発明を実施するための最良の形態】
【００１９】
図１乃至図５は、第１実施形態を示す。図１は本実施形態に係る子供用の防寒手袋の斜視図、図２は三角マチの平面図、図３は該防寒手袋を掌側から見た図、図４は該防寒手袋を手の甲側から見た図、図５は本実施形態に係る防寒手袋の生地のうちの、装着者の掌側を被う生地を分解した展開図、図６は本実施形態に係る防寒手袋の生地のうちの、装着者の手の甲側を被う生地を分解した展開図である。本実施形態においては、５本の指が独立している、いわゆる、グローブタイプの子供用の防寒手袋１について説明する。
【００２０】
図１に示すように、防寒手袋１は、手を挿入するための手挿入口２を広げるための三角マチ３を手袋生地４の一部に介在させている。本実施形態においては、三角マチ３が、装着者の親指と人差指と間の付け根近傍から手挿入口２までの間に設けられた場合を示す。
【００２１】
図１及び図２に示すように、三角マチ３は、頂部５から伸びる二つの側縁６，７と、頂部５に対面する底縁８とから三角形状に形成されている。三角マチ３の頂部５は、装着者の手の親指と人差指の付け根において手袋生地４に縫着され、三角マチ３の二つの側縁６，７は手袋生地４に縫着されている。三角マチ３の前記頂部の角度は、４０度を中心として、±１０度位が好ましい。三角マチ３の側縁６，７は、手挿入口２に達する位置にまで延設することにより、三角マチ３の底縁８は手挿入口２の一部を構成している。手袋生地４は、二層の生地によって構成されている。手袋生地４は、三角マチ３以外の部分において二層の生地の間に綿等の保温材やクッション材を収納しているが、三角マチ３の部分には、保温材やクション材を収納しないことにより、三角マチ３が防寒手袋１内へ折畳まれて収容できるように変形し易くなっている。
【００２２】
手挿入口２には伸縮部９が設けられている。伸縮部９は、手挿入口２を伸縮させるものであるが、伸縮部９は、手挿入口２の大きさを縮小させる方向へ付勢するものである。伸縮部９はギャザー内に、伸縮可能な弾性部材を挿通させて形成することができる。弾性部材としては、例えば、ゴム紐が該当する。
【００２３】
図３に示すように、防寒手袋１の甲側には、ベルト１０が装着されている。該ベルト１０は、引掛部１１と、引掛部１１が掛け止めされる引掛受部１２とから構成されている。引掛部１１と引掛受部１２は、互いに、三角マチ３を中心として反対側の位置に縫着されている。ベルト１０をこのように構成することにより、引掛部１１を引掛受部１２に引掛けて締め付けることにより、三角マチ３が防寒手袋１の内側に折畳まれるようにして、手挿入口２が縮小することにより、防寒手袋１が装着者の手首に装着されるものである。
【００２４】
次ぎに、前記手袋生地４の詳細について説明する。手袋生地４は、装着者の手の４指（人差指、中指、薬指、小指）に対応する４指側生地部１３と、親指に対応する親指側生地部１４を備えている。
【００２５】
前記４指側生地部１３は、図３及び図５に示すように、掌側生地部１５と、図４及び図６に示すように、甲側生地部１６とから大略構成される。掌側生地部１５は、装着者の掌、及び前記４指の腹側を被うものである。掌側生地部１５には、装着者の手首の内側を被う手首被い部１７が縫着されている。掌側生地部１５と手首被い部１７との間には、ゴム絞り部Ｇが設けられている。又、前記甲側生地部１６は、装着者の手の甲側、及び前記４指の甲側を被うものである。前記掌側生地部１５、及び前記甲側生地部１６に、人差指マチ片１８、指間マチ片１９〜２１、及び小指マチ片２２を縫着することにより、前記掌側生地部１５、前記甲側生地部１６、人差指マチ片１８、指間マチ片１９〜２１、及び小指マチ片２２が一体化されている。
【００２６】
前記親指側生地部１４は、図３，図５に示すように、親指の腹側を被う腹側下ベロ部２３、及び腹側上ベロ部２４と、図４，図６に示すように、親指の甲側を被う甲側下ベロ部２５、及び甲側上ベロ部２６と、これらベロ部２３〜２６に縫着される親指マチ２７とから構成されている。腹側下ベロ部２３に腹側上ベロ部２４が縫着され、更に、甲側下ベロ部２５に甲側上ベロ部２６が縫着された状態で、これらベロ部２３〜２６が親指マチ２７に縫着されることにより、親指側生地部１４が構成される。
【００２７】
そして、前記親指側生地部１４の腹側下ベロ部２３が、前記掌側生地部１５に縫着され、且つ、前記親指側生地部１４の甲側下ベロ部２５が、前記甲側生地部１６に縫着されることにより、防寒手袋１が完成するものである。
【００２８】
次ぎに、このように構成された子供用の防寒手袋１の作用について説明する。
まず、子供が防寒手袋１を手に装着する際には、ベルト１０の引掛部１１を引掛受部１２から緩める。その後、伸縮部９の伸縮力に抗して、手挿入口２を広げる。
【００２９】
この際、三角マチ３が広がることにより、防寒手袋１は手挿入口２から親指側生地部１４の親指の挿入口（図１中、Ａで示す）までが大きく広がることができる。即ち、図１中、一点鎖線で示すように、仮に、三角マチ３の頂部３ａが、装着者の親指と人差指の間の付け根近傍に縫着されずに、手挿入口２に近い位置に縫着された場合には、三角マチ３によって手挿入口２は大きく開くことができても、親指の挿入口Ａ近傍は大きく開くことができない。この場合には、大きく開いた手挿入口２から手を挿入することができても、親指を親指挿入口Ａに円滑に挿入することができない。しかし、本実施形態においては、手挿入口２から親指の挿入口Ａまでが大きく開くことができるため、装着者は、防寒手袋１内へ、手だけでなく、親指までも円滑に挿入することができる。
【００３０】
以上のように、三角マチ３が、装着者の親指と人差指との間の付け根から手挿入口２までの間に亘って設けられたため、子供でも容易に手を防寒手袋１内へ挿入させることができる。そして、子供の手に防寒手袋１を装着した状態においては、伸縮部９が子供の手首を締め付けるようにして、子供の手首と、手挿入口２との間に隙間を発生させないようにしたため、防寒手袋１内への雪の侵入が防止される。
【００３１】
その後、ベルト１０の引掛部１１を引掛受部１２に挿通させて、引掛部１１を引っ張ることにより、ベルト１０が手挿入口２近傍を締め付けることができて、防寒手袋１が子供の手から脱落する虞がなく、防寒手袋１が子供の手に装着された状態が確固として維持される。
【００３２】
本実施形態の防寒手袋１は、従来技術に示すようにファスナーを設けていないため、ファスナーを設けるための部品点数、製造工程が不要となって、製造が簡略化して、製造が容易化するだけでなく、コストダウン及び軽量化にも寄与することができる。更に、ファスナーを設けないため、表面がスッキリし、外観が意匠的にも向上して美観が優れたものになる。
【００３３】
以上のように防寒手袋１を構成した場合には、図１及び図４に示すように、三角マチ３の一方の側縁６は甲側生地部１６に縫着され、三角マチ３の他方の側縁７は人差指マチ１８、及び手首被い部１７に縫着されるものである。又、以上のように防寒手袋１を構成した場合には、三角マチ３の頂部５は、人差指マチ１８と、親指マチ２６との交点Ｐ（図１に示す）から５ｍｍ以上で２０ｍｍ以下の範囲、又は、防寒手袋１のゴム絞りＧ又はベルト１０から２０ｍｍ以上、上方に離れた位置に存在することが好ましい。
【００３４】
又、以上のように防寒手袋１を構成した場合には、図４に示すように、ベルト１０の引掛部１１は、小指マチ片２２、手首被い部１７、及び甲側生地部１６に縫着され、一方、ベルト１０の引掛受部１２は人差指マチ１８、手首被い部１７、及び三角マチ３に縫着されることができる。
【００３５】
又、以上の説明は、4本の指が独立している、いわゆる、グローブタイプの防寒手袋について説明したが、人差指、中指、薬指及び小指が一体になった、いわゆる、ミトンタイプの防寒手袋にも適用できることは勿論である。
【００３６】
図７は第２実施形態を示す。この第２実施形態の特徴は、三角マチ３が、装着者の中指の付け根、又は薬指の付け根近傍から手挿入口２までの間に設けられた場合を示す。三角マチ３は三角形状に形成され、三角マチの頂部５は、装着者の中指の付け根、又は薬指の付け根近傍において手袋生地４に縫着され、三角マチ３の２つの側縁６，７は、手袋生地４に縫着されている。三角マチ３の側縁６，７は、手挿入口２に達する位置にまで延設することにより、三角マチ３の底縁８は手挿入口２の一部を構成している。
【００３７】
第２実施形態に示すように、三角マチ３を、装着者の中指の付け根、又は薬指の付け根近傍から手挿入口２までの間に設けても、防寒手袋１の装着時において、手袋生地４を装着者の中指の付け根、又は薬指の付け根近傍から手挿入口２までの間において手袋生地４を大きく開げることができるため、防寒手袋１を器用に扱うことの出来ない子供であっても、防寒手袋１を容易に手に装着することができるものである。
【００３８】
尚、人差指と中指との間の付け根、薬指と小指との間の付け根から手挿入口との間に亘って、三角マチ３を設けても良いことは勿論である。
【図面の簡単な説明】
【００３９】
【図１】本実施形態に係る子供用の防寒手袋の斜視図である。（第１実施形態）
【図２】三角マチの平面図である。
【図３】子供用の防寒手袋を掌側から観た状態の図である。（第１実施形態）
【図４】子供用の防寒手袋を手の甲側から観た状態の図である。（第１実施形態）
【図５】子供用の防寒手袋の掌側生地部の展開図である。（第１実施形態）
【図６】子供用の防寒手袋の甲側生地部の展開図である。（第１実施形態）
【図７】子供用の防寒手袋を手の甲側から観た状態の図である。（第２実施形態）
【図８】従来技術の子供用の防寒手袋の斜視図である。
【図９】従来技術の子供用の防寒手袋の斜視図である。
【符号の説明】
【００４０】
１  子供用の防寒手袋
２  手挿入口
３  三角マチ
４  手袋生地
５  三角マチの頂部
６，７  三角マチの側縁
８  三角マチの底縁
９  伸縮部
１０  ベルト
【図１】
2006104619.tif 000003
【図２】
2006104619.tif 000004
【図３】
2006104619.tif 000005
【図４】
2006104619.tif 000006
【図５】
2006104619.tif 000007
【図６】
2006104619.tif 000008
【図７】
2006104619.tif 000009
【図８】
2006104619.tif 000010
【図９】
2006104619.tif 000011